(57)【要約】【課題】ＤＶＤ−ＲＡＭに情報の記録を行う場合でも、隣接トラックに情報を誤って記録してしまうことがなく、かつ、フォーカシングエラー／トラッキングエラークロストークが発生を防止することのできる光ディスク装置を提供すること。【解決手段】光ディスク装置において、サブビームＳ−Ｂｅａｍ（±）はデフォーカス状態にあるため、誤って情報を記録することがない。また、サブビームＳ−Ｂｅａｍの受光結果に基づいて非点収差法によりフォーカシングエラー信号を得る際、サブビームＳ−Ｂｅａｍ（±）はプッシュプル変調しないので、クロストークの影響が極めて小さい。また、スポット移動や光ディスク１０のチルトに起因するプッシュプルオフセット成分は、メインビームＭ−ＢｅａｍおよびサブビームＳ−Ｂｅａｍのいずれにも発生するので、ＤＰＰ法と同様な演算を採用した場合でも、トラッキングエラーオフセットを除去できる。【選択図】図２
2006172694.tif 000002
【特許請求の範囲】
【請求項１】
レーザ光源と、該レーザ光源から出射された光から少なくともメインビームおよび２つのサブビームからなる３ビームを生成する３ビーム生成素子と、該３ビームを光ディスクの記録面上に集光する光学系と、前記記録面で反射した前記３ビームを受光して信号を生成する光検出器とを有し、該光検出器で検出された信号に基づいて、前記光ディスクに記録されているデータ信号を再生するとともに、フォーカシングエラー信号およびトラッキングエラー信号を生成する光ディスク装置であって、
前記２つのサブビームは、少なくともトラッキング方向の径が前記メインビームが前記記録面上に形成するスポットと比較して大きなスポットを当該記録面上に形成することを特徴とする光ディスク装置。
【請求項２】
請求項１において、前記２つのサブビームは、前記記録面上に結像スポットを形成しない程度のデフォーカス状態で前記記録面上に集光されることを特徴とする光ディスク装置。
【請求項３】
請求項１または２において、前記光検出器は、プッシュプル方向に分割された少なくとも２つの受光面を備えたメインビーム受光部と、プッシュプル方向および該プッシュプル方向に直交する方向に分割された４つの受光面を備えた２つのサブビーム受光部とを有していることを特徴とする光ディスク装置。
【請求項４】
請求項３において、少なくとも前記サブビーム受光部でのサブビームの受光結果に基づいて非点収差法により前記フォーカシングエラー信号を生成可能であることを特徴とする光ディスク装置。
【請求項５】
請求項４において、少なくとも前記メインビーム受光部および前記サブビーム受光部での受光結果に基づいてＤＰＰ法と同一の演算により前記トラッキングエラー信号が生成可能であることを特徴とする光ディスク装置。
【請求項６】
請求項４または５において、前記光ディスクにおけるランドからグルーブまでの距離をｄとし、ｎを自然数としたとき、前記２つのサブビームは各々、前記メインビームがトレースしている位置からトラッキング方向において、下式
±ｄ×（ｎ−１／２）
で表される距離の位置にあることを特徴とする光ディスク装置。
【請求項７】
請求項４ないし６のいずれかにおいて、前記３ビーム生成素子は、０次光からなる前記メインビームと、±１次光からなる２つのサブビームからなる３ビームを生成する回折素子であり、前記２つのサブビームに互いの反対方向のパワーを付与して前記デフォーカス状態を生成することを特徴とする光ディスク装置。
【請求項８】
請求項７において、前記回折素子は、前記フォーカシングエラー信号のＳカーブ長において前記フォーカシングエラー信号が０となる点からみて最大値までの距離と最小値までの距離との和の約１／２倍に相当する距離の非点収差を前記サブビームの間に付与することを特徴とする光ディスク装置。
【請求項９】
請求項１ないし８のいずれかにおいて、前記サブビームのスポットがマレシャルクライテリオンよりも劣化した状態にあることを特徴とする光ディスク装置。
【請求項１０】
請求項１ないし９のいずれかにおいて、前記メインビーム受光部は、プッシュプル方向および該プッシュプル方向に直交する方向に分割された４つの受光面を備えていることを特徴とする光ディスク装置。
【発明の詳細な説明】
【技術分野】
【０００１】
本発明は、光記録ディスク（以下、光ディスクと記す。）に記録されたデータ信号を再生するために用いられる光ディスク装置に関するものである。さらに詳しくは、ＤＶＤ−ＲＡＭに情報の記録を行うのに適した光ディスク装置に関するものである。
【背景技術】
【０００２】
ＤＶＤ−ＲＡＭのように、ランドおよびグルーブを備え、その双方に情報の記録や再生を行う光ディスクに対する信号検出のための構成としては以下の構成が提案されているが、いずれの構成を採用した場合でも、レーザダイオード、対物レンズ、光路分離素子、光検出器が用いられる。
【０００３】
ここで、フォーカシングエラー信号を非点収差法で検出し、トラッキングエラー信号をＤＰＰ法で検出する場合には、ＤＰＰ法を行うために、半導体レーザから出射されたレーザ光から３ビームを生成した後、これらの３ビームによって光ディスクに３つの光スポットを形成する。また、光検出器は、３群８分割素子が用いられ、メインビームの受光結果に基づいてデータ信号およびフォーカシングエラー信号が検出される。また、メインビームのプッシュプルからＭＰＰ信号を生成するとともに、サブビームのプッシュプルからＥＰＰ信号およびＦＰＰ信号を生成し、これらの信号を用いて下式
トラッキングエラー信号＝ＤＰＰ＝ＭＰＰ−ｋ１×（ＥＰＰ＋ＦＰＰ）
で示す演算を行ってトラッキングエラー信号を検出する。
【０００４】
これに対して、フォーカシングエラー信号を差動非点収差法で検出し、トラッキングエラー信号をＤＰＰ法で検出する場合にも、半導体レーザから出射されたレーザ光から３ビームを生成した後、これらの３ビームによって光ディスクに３つの光スポットを形成する。ここで、光検出器は、３群１２分割素子が用いられ、メインビームの受光結果に基づいてデータ信号が検出される。また、メインビームおよびサブビームの非点収差法信号をＭＦＥ、ＥＦＥ、ＦＦＥとしたとき、これらの信号を用いて下式
フォーカシングエラー信号＝ＭＦＥ＋ｋ２×（ＥＦＥ＋ＦＦＥ）
で示す演算を行ってトラッキングエラー信号を検出する一方、メインビームのプッシュプルからＭＰＰ信号を生成するとともに、サブビームのプッシュプルからＥＰＰ信号およびＦＰＰ信号を生成し、これらの信号を用いて下式
トラッキングエラー信号＝ＤＰＰ＝ＭＰＰ−ｋ１×（ＥＰＰ＋ＦＰＰ）
で示す演算を行ってトラッキングエラー信号を検出する。
【発明の開示】
【発明が解決しようとする課題】
【０００５】
しかしながら、従来の構成を採用した場合、ＤＶＤ−ＲＡＭに情報の記録を行おうとしたとき、以下の問題点が発生する。
【０００６】
まず、フォーカシングエラー信号を非点収差法で検出し、トラッキングエラー信号をＤＰＰ法で検出する前者の場合には、光軸ずれや戻り光に収差があると、フォーカシングエラー信号にメインビームのプッシュプル成分が交絡し、フォーカシングオフセットが発生してしまう。特にフォーカシングサーボがオン状態でトラック間を移動する際には、本来のフォーカシングエラー振幅に対して３０％を超えるようなトラッキングエラー交絡成分が発生し、フォーカシングエラーサーボや対物レンズアクチュエータでの発振などの原因となる。これをフォーカシングエラー／トラッキングエラークロストークというが、ＤＶＤ−ＲＡＭでは、フォーカシングエラー／トラッキングエラークロストークが大きい。このため、トラック間移動やランド・グルーブ間のジャンプ時にフォーカシングエラー信号にオフセットが発生し、システム上、問題が発生する。また、サブビームが隣接トラックの情報ピット上を走査するため、ここに情報を誤って記録してしまうこともある。
【０００７】
また、フォーカシングエラー信号を差動非点収差法で検出し、トラッキングエラー信号をＤＰＰ法で検出する後者の場合には、原理上、上記のクロストークは発生せず、良好なフォーカシングエラー信号のオフセットを得ることができるので、ＤＶＤ−ＲＡＭに情報を記録する場合に適している。しかしながら、この方法でも、サブビームが隣接トラックの情報ピット上を走査するため、ここに情報を誤って記録してしまうことがある。
【０００８】
以上の問題点に鑑みて、本発明の課題は、ＤＶＤ−ＲＡＭに情報の記録を行う場合でも、隣接トラックに情報を誤って記録してしまうことのない光ディスク装置を提供することにある。
【０００９】
また、本発明の課題は、フォーカシングエラー／トラッキングエラークロストークが発生を防止することのできる光ディスク装置を提供することにある。
【課題を解決するための手段】
【００１０】
上記課題を解決するために本発明では、レーザ光源と、該レーザ光源から出射された光から少なくともメインビームおよび２つのサブビームからなる３ビームを生成する３ビーム生成素子と、該３ビームを光ディスクの記録面上に集光する光学系と、前記記録面で反射した前記３ビームを受光して信号を生成する光検出器とを有し、該光検出器で検出された信号に基づいて、前記光ディスクに記録されているデータ信号を再生するとともに、フォーカシングエラー信号およびトラッキングエラー信号を生成する光ディスク装置であって、前記２つのサブビームは、少なくともトラッキング方向の径が、前記メインビームが前記記録面上に形成するスポットと比較して大きなスポットを当該記録面上に形成することを特徴とする。
【００１１】
本発明では、メインビームについては、光ディスク上で結像スポットを形成しているが、サブビームについては光ディスク上に大きなスポットを形成しており、結像スポットを形成していない。このため、光ディスクに情報を記録する際、光量があるレベル以上あった場合でも、誤ってサブビームによって情報が記録されることがない。
【００１２】
本発明において、前記２つのサブビームが前記メインビームよりも大きな径のスポットを形成するようにするには、例えば、前記２つのサブビームが、前記記録面上に結像スポットを形成しない程度のデフォーカス状態で前記記録面上に集光される構成を採用すればよい。
【００１３】
また、前記２つのサブビームが前記メインビームよりも大きな径のスポットを形成するようにするには、例えば、グレーティング素子により２つのサブビームに発生する３次の球面収差を利用してもよい。
【００１４】
本発明において、前記光検出器は、プッシュプル方向に分割された少なくとも２つの受光面を備えたメインビーム受光部と、プッシュプル方向および該プッシュプル方向に直交する方向に分割された４つの受光面を備えた２つのサブビーム受光部とを有していることが好ましい。
【００１５】
このように構成すると、少なくとも前記サブビーム受光部でのサブビームの受光結果に基づいて非点収差法により前記フォーカシングエラー信号が生成することができる。すなわち、少なくとも、前記サブビーム受光部でのサブビームの受光結果に基づいて非点収差法により前記フォーカシングエラー信号が生成する信号処理回路を備えている。このように構成すると、フォーカシングエラー信号を得るためのサブビームがデフォーカス状態にあるため、サブビームのプッシュプル変調は極めて小さい。それ故、クロストークの影響が極めて小さい。よって、前記光ディスクの記録面にランドおよびグルーブが各々交互に同心円状に形成され、情報の記録時には、前記ランドおよび前記グルーブのいずれにも、前記メインビームによりピットが形成されるＤＶＤ−ＲＡＭに情報の記録を行うのに適している。
【００１６】
この場合、少なくとも前記メインビーム受光部および前記サブビーム受光部での受光結果に基づいてＤＰＰ法と同一の演算により前記トラッキングエラー信号を生成するように構成してもよい。すなわち、前記メインビーム受光部および前記サブビーム受光部での受光結果に基づいてＤＰＰ法と同一の演算により前記トラッキングエラー信号を生成する信号処理回路を備えている。このように構成すると、サブビームは、光ディスク上でデフォーカス状態にあり、プッシュプル変調率がメインビームに比較して小さいため、プッシュプル変調はメインビームから得られることになる。この場合でも、スポット移動や光ディスクのチルトに起因するプッシュプルオフセット成分は、メインビームおよびサブビームのいずれにも発生するので、ＤＰＰ法と同様な演算を採用した場合でも、スポット移動に起因するプッシュプルオフセット成分が最小になるような係数を採用することにより、トラッキングエラーオフセットを除去することができる。それ故、トラッキングエラーオフセットの発生しない良好なトラッキングエラー信号を得ることができる。
【００１７】
本発明において、前記光ディスクをＤＶＤ−ＲＡＭとした場合、光ディスクの記録面には、ランドおよびグルーブが各々交互に同心円状に形成されている。この場合、前記光ディスクにおけるランドからグルーブまでの距離をｄとし、ｎを自然数としたとき、前記２つのサブビームは各々、前記メインビームがトレースしている位置からトラッキング方向において、下式
±ｄ×（ｎ−１／２）
で表される距離の位置にあることが好ましい。
【００１８】
本発明において、前記３ビーム生成素子は、例えば、０次光からなる前記メインビームと、±１次光からなる２つのサブビームからなる３ビームを生成する回折素子であり、前記２つのサブビームに互いの反対方向の非点収差を付与して前記デフォーカス状態を生成する。
【００１９】
本発明において、前記回折素子は、前記フォーカシングエラー信号のＳカーブ長において前記フォーカシングエラー信号が０となる点からみて最大値までの距離と最小値までの距離との和の約１／２倍に相当する距離の非点収差を前記サブビームの間に付与することが好ましい。
【００２０】
本発明において、前記サブビームのスポットがマレシャルクライテリオン（Ｍａｒｅｃｈａｌ  Ｃｒｉｔｅｒｉｏｎ）よりも劣化した状態にあることが好ましい。
【００２１】
本発明において、前記メインビーム受光部は、プッシュプル方向および該プッシュプル方向に直交する方向に分割された４つの受光面を備えていることが好ましい。このように構成すると、メインビームの光軸調整を容易に行うことができる。また、ＤＶＤ／ＣＤ系の光ディスクを本発明を適用した光ディスク装置に仕掛けた際、ＣＤについては、従来の非点収差法とＤＰＰ法とを適用することができるなど、種類の異なる光ディスクが仕掛けられた場合には、各光ディスクに対応する検出方法を採用することができる。
【発明の効果】
【００２２】
本発明では、メインビームについては、光ディスク上で結像スポットを形成しているが、サブビームについては、例えばデフォーカス状態にあって結像スポットを形成していない。このため、光ディスクに情報を記録する際、光量があるレベル以上あった場合でも、誤ってサブビームによって情報が記録されることがない。また、フォーカシングエラー信号を得るためのサブビームがデフォーカス状態にあれば、サブビームはプッシュプル変調しない。それ故、クロストークの影響が極めて小さい。また、サブビームは、光ディスク上でデフォーカス状態にあり、プッシュプル変調率がメインビームに比較して小さいため、プッシュプル変調はメインビームから得られることになる。この場合でも、スポット移動や光ディスクのチルトに起因するプッシュプルオフセット成分は、メインビームおよびサブビームのいずれにも発生するので、ＤＰＰ法と同様な演算を採用した場合でも、スポット移動に起因するプッシュプルオフセット成分が最小になるような係数を採用することにより、トラッキングエラーオフセットを除去することができる。それ故、トラッキングエラーオフセットの発生しない良好なトラッキングエラー信号を得ることができる。
【発明を実施するための最良の形態】
【００２３】
図面を参照して本発明の実施の形態を説明する。
【００２４】
（全体構成）
図１（ａ）、（ｂ）は、本発明を適用した光ディスク装置の主要部の構成を模式的に示す説明図、およびこの光ディスク装置で駆動されるＤＶＤ−ＲＡＭ（光ディスク）の記録面の構成を模式的に示す説明図である。図２（ａ）、（ｂ）、（ｃ）、（ｄ）はそれぞれ、図１（ａ）に示す光ディスク装置に用いた回折素子の説明図、図１（ａ）に示す光ディスク装置において各ビームがトラック上に集光した状態を示す説明図、およびサブビームのデフォーカス状態を示す説明図である。図３（ａ）、（ｂ）、（ｃ）、（ｄ）、（ｅ）はそれぞれ、本発明を適用した光ディスク装置において光検出器で受光された戻り光からフォーカシングエラー信号を検出する説明図である。
【００２５】
図１（ａ）において、本形態の光ディスク装置１は、例えば波長６５０ｎｍのレーザ光束を発するレーザ光源２を有しており、このレーザ光源２から光ディスク１０に到る光路上には、レーザ光源２から出射された光からメインビームＭ−Ｂｅａｍおよび２つのサブビームＳ−Ｂｅａｍからなる３ビームを生成する回折素子３（３ビーム生成素子）、光路分離素子４、コリメートレンズ５、立ち上げミラー６、対物レンズ７が配置されている。また、光ディスク１０からの光検出器８への光路上には、対物レンズ７、立ち上げミラー６、コリメートレンズ５、光路分離素子４、戻り光に非点収差を付与するセンサーレンズ９が配置されている。さらに、本形態の光ディスク装置１は、少なくとも後述する信号生成が可能な信号処理回路を備えている。なお、対物レンズ７には、それをフォーカシング方向およびトラッキング方向に駆動するアクチュエータ（図示せず）が配置されている。
【００２６】
この光ディスク装置１で駆動される光ディスク１０のうち、ＤＶＤ−ＲＡＭは、図１（ｂ）に示すように、ウォブル（うねり）が付されたランド１１とグルーブ１２が同心円状に交互に形成され、ランド１１およびグルーブ１２のいずれもが、ピット１３が形成されるトラックとして用いられる。ここで、ウォブルから得られる信号は、クロックの引き込みに用いられる。
【００２７】
図２（ａ）に示すように、本形態の光ディスク装置１において、回折素子３は、多数の格子３０が互いの間隔が変化するように形成された変調回折素子であり、図２（ｂ）、（ｃ）、（ｄ）に示すように、０次光からなるメインビームＭ−Ｂｅａｍと、±１次光からなる２つのサブビームＳ−Ｂｅａｍ（±）からなる３ビームを生成するとともに、２つのサブビームＳ−Ｂｅａｍ（±）に互いの反対方向のパワーを有し、デフォーカスを付与する。本形態において、２つのサブビームＳ−Ｂｅａｍ（±）は、メインビームＭ−Ｂｅａｍに対して＋２μｍ、−２μｍ程度、デフォーカスしている状態にある。このため、メインビームＭ−Ｂｅａｍが記録面上で結像スポットを形成した際、２つのサブビームＳ−Ｂｅａｍ（±）はいずれも、記録面上に結像スポットを形成しない程度のデフォーカス状態にある。本形態で、このデフォーカス状態は、サブビームＳ−Ｂｅａｍ（±）のスポットがマレシャルクライテリオン（Ｍａｒｅｃｈａｌ  Ｃｒｉｔｅｒｉｏｎ）よりも劣化した状態にある。それ故、メインビームＭ−Ｂｅａｍは、光ディスク１０上で結像スポットを形成しているが、サブビームＳ−Ｂｅａｍ（±）は光ディスク１０上に大きなスポットを形成しており、結像スポットを形成していない。
【００２８】
２つのサブビームＳ−Ｂｅａｍ（±）のメインビームＭ−Ｂｅａｍがトレースしている位置からのトラッキング方向における距離については、特に限定されるものではないが、光ディスク１０におけるランド１１からグルーブ１２までの距離をｄとし、ｎを自然数としたとき、２つのサブビームＳ−Ｂｅａｍ（±）は各々、メインビームＭ−Ｂｅａｍがトレースしている位置からトラッキング方向において、下式
±ｄ×（ｎ−１／２）
で表される距離の位置にあることが好ましい。
【００２９】
本形態においては、図３（ｃ）に示すように、光検出器８は、３つの受光部８０、８１、８２を備えており、中央のメインビーム受光部８０は、プッシュプル方向に２分割されているとともに、プッシュプル方向に直交する方向にも分割された４つの受光面８０１、８０２、８０３、８０４を備えている。以下の説明では、メインビーム受光部８０の４つの受光面８０１、８０２、８０３、８０４での受光結果に対応する信号をそれぞれ、Ｍａ、Ｍｂ、Ｍｃ、Ｍｄとする。
【００３０】
また、メインビーム受光部８０に対して一方側に位置する第１のサブビーム受光部８１は、プッシュプル方向およびプッシュプル方向に直交する方向に分割された４つの受光面８１１、８１２、８１３、８１４を備えており、メインビーム受光部８０に対して他方側に位置する第２のサブビーム受光部８２も、プッシュプル方向およびプッシュプル方向に直交する方向に分割された４つの受光面８２１、８２２、８２３、８２４を備えている。以下の説明では、第１のサブビーム受光部８１の４つの受光面８１１、８１２、８１３、８１４での受光結果に対応する信号をそれぞれ、Ｅａ、Ｅｂ、Ｅｃ、Ｅｄとする。また、第２のサブビーム受光部８２の４つの受光面８２１、８２２、８２３、８２４での受光結果に対応する信号をそれぞれ、Ｆａ、Ｆｂ、Ｆｃ、Ｆｄとする。
【００３１】
このように構成した光検出器８において、図３（ｃ）には、メインビームＭ−Ｂｅａｍが記録面上に結像スポットを形成した状態を示してあり、この状態から、−２μｍ、−４μｍだけデフォーカス状態になったときのスポット形状をそれぞれ、図３（ｂ）、（ａ）に示してある。また、図３（ｃ）に示す状態から、＋２μｍ、＋４μｍだけデフォーカス状態になったときのスポット形状をそれぞれ、図３（ｄ）、（ｅ）に示してある。
【００３２】
（データ信号の再生）
このように構成した光ディスク装置１において、光ディスク１０に記録されているデータ信号の再生やウォブル信号を検出するためのメインビームＭ−Ｂｅａｍについては、光ディスク１０上で結像スポットを形成しており、従来と同様な方法で、光ディスク１０に記録されているデータ信号を再生することができるとともに、ウォブル信号を検出することができる。
【００３３】
（フォーカシングエラー信号の生成）
図４（ａ）、（ｂ）は、本発明に係る方法で求めたフォーカシングエラー信号の説明図、および比較例に係る方法で求めたフォーカシングエラー信号の説明図である。
【００３４】
本形態では、図３に示すサブビーム受光部８１、８２でのサブビームＳ−Ｂｅａｍ（±）の受光結果に基づいて非点収差法によりフォーカシングエラー信号が生成される。すなわち、フォーカシングエラー信号（ＦＥ）は、下式
サブビームＳ−Ｂｅａｍ（−１）の非点収差信号＝（Ｅａ＋Ｅｃ）−（Ｅｂ＋Ｅｄ）
サブビームＳ−Ｂｅａｍ（＋１）の非点収差信号＝（Ｆａ＋Ｆｃ）−（Ｆｂ＋Ｆｄ）
ＦＥ＝サブビームＳ−Ｂｅａｍ（−１）の非点収差信号
＋サブビームＳ−Ｂｅａｍ（−１）の非点収差信号
＝（Ｅａ＋Ｅｃ）−（Ｅｂ＋Ｅｄ）＋（Ｆａ＋Ｆｃ）−（Ｆｂ＋Ｆｄ）
により求められる。ここで、２つのサブビームＳ−Ｂｅａｍ（±）については、＋方向および−方向に同等の量だけデフォーカスさせてあり、それらの和を求めている。従って、本形態で求めたフォーカシングエラー信号（ＦＥ）については、図４（ａ）に示すように、メインビームＭ−Ｂｅａｍから得たフォーカシングエラー信号（図４（Ｂ）参照）と同様であるが、以下に説明するように、トラッキングエラー信号のクロストークの影響が極めて小さいことになる。
【００３５】
フォーカシングエラー信号にトラッキングエラー信号のクロストークがのる原因は、フォーカシングエラー信号を得るためのビームが光ディスク１０上で結像スポットを形成し、プッシュプル変調をまともに受けてしまうからであるが、本形態では、フォーカシングエラー信号を得るためのサブビームＳ−Ｂｅａｍ（±）がデフォーカス状態にあるため、サブビームＳ−Ｂｅａｍ（±）のプッシュプル変調は極めて小さい。それ故、本形態のように、サブビームＳ−Ｂｅａｍ（±）からフォーカシングエラー信号を検出すれば、クロストークの影響が極めて小さくなる。
【００３６】
ここで、フォーカシングエラー信号では、そのＳカーブ長（フォーカシングエラー信号が０となる点からみて最大値までの距離と最小値までの距離との和）は８μｍであり、サブビームＳ−Ｂｅａｍ（±）のデフォーカス距離はその約１／２、すなわち±約２μｍに設定してある。
【００３７】
なお、サブビームＳ−Ｂｅａｍ（±）をデフォーカスさせても、プッシュプル変調が十分に低下しない場合には、サブビームＳ−Ｂｅａｍ（±）から得たフォーカシングエラー信号にクロストークがのる可能性があるので、この場合には、２つのサブビームＳ−Ｂｅａｍ（±）は各々、メインビームＭ−Ｂｅａｍがトレースしている位置からトラッキング方向において、下式
±ｄ×（ｎ−１／２）
で表される距離の位置、例えば、ｎ＝１にしてサブビームＳ−Ｂｅａｍを、メインビームからそれぞれ±１／４トラック分だけずれた位置に配置すればよい。ただし、１トラックとは、ランド〜グルーブ〜ランドまでの距離２ｄを意味する。このように構成すると、サブビームＳ−Ｂｅａｍ（±）にのるプッシュプル変調は、互いに逆極性となるので、和を求めた際にキャンセルされる。それ故、クロストークの発生が完全に抑えられることになる。
【００３８】
ここで、２つのサブビームＳ−ＢｅａｍのメインビームＭ−Ｂｅａｍがトレースしている位置からのトラッキング方向における距離については、特に限定されるものではないが、光ディスク１０におけるランドからグルーブまでの距離をｄとし、ｎを自然数としたとき、前記２つのサブビームＳ−Ｂｅａｍは各々、前記メインビームＭ−Ｂｅａｍがトレースしている位置からトラッキング方向において、下式
±ｄ×（ｎ−１／２）
で表される距離の位置にあることが好ましい。特に、ｎ＝１で、２つのサブビームＳ−Ｂｅａｍが、メインビームからそれぞれ±１／４トラック分、離れた位置にあることが好ましい。
【００３９】
（トラッキングエラー信号の生成）
図５（ａ）、（ｂ）、（ｃ）はそれぞれ、本発明を適用した光ディスク装置において光検出器で受光された戻り光からトラッキングエラー信号を検出する説明図である。図６（ａ）、（ｂ）、（ｃ）は、本発明に係る方法で求めたトラッキングエラー信号の説明図である。
【００４０】
本形態では、図５（ａ）、（ｂ）、（ｃ）に示すメインビーム受光部８０およびサブビーム受光部８１、８２での受光結果に基づいてＤＰＰ法と同一の演算によりトラッキングエラー信号が生成される。すなわち、トラッキングエラー信号（ＴＥ）は下式
トラッキングエラー信号（ＴＥ）＝ＭＰＰ−Ｋ×（ＥＰＰ＋ＦＰＰ）
ＭＰＰ（メインビームＭ−Ｂｅａｍのプッシュプル信号）＝
（Ｍａ＋Ｍｄ）−（Ｍｂ＋Ｍｃ）
ＥＰＰ（サブビームＳ−Ｂｅａｍ（−１）のプッシュプル信号）＝
（Ｅａ＋Ｅｄ）−（Ｅｂ＋Ｅｃ）
ＦＰＰ（サブビームＳ−Ｂｅａｍ（＋１）のプッシュプル信号）＝
（Ｆａ＋Ｆｄ）−（Ｆｂ＋Ｆｃ）
に示すように、メインビームＭ−ＢｅａｍのプッシュプルからＭＰＰ信号を生成するとともに、サブビームＳ−ＢｅａｍのプッシュプルからＥＰＰ信号およびＦＰＰ信号を生成し、これらの信号を用いてトラッキングエラー信号（ＴＥ）を検出する。
【００４１】
このように本形態では、メインビーム受光部８０およびサブビーム受光部８１、８２での受光結果に基づいてＤＰＰ法と同一の演算によりトラッキングエラー信号が生成されるが、演算の意味や振幅は、通常のＤＰＰ法と全く相違する。すなわち、サブビームＳ−Ｂｅａｍ（±）は、光ディスク１０上でデフォーカス状態にあり、スポットを結ばないので、図６（ａ）、（ｂ）、（ｃ）に示すように、プッシュプル変調率がメインビームＭ−Ｂｅａｍに比較して小さいため、プッシュプル変調はメインビームＭ−Ｂｅａｍ（±）から得られることになる。但し、スポット移動や光ディスク１０のチルトに起因するプッシュプルオフセット成分は、メインビームＭ−ＢｅａｍおよびサブビームＳ−Ｂｅａｍ（±）のいずれにも発生するので、ＤＰＰ法と同様な演算を採用した場合でも、スポット移動に起因するプッシュプルオフセット成分が最小になるような係数Ｋを採用することにより、トラッキングエラーオフセットを除去することができる。それ故、トラッキングエラーオフセットの発生しない良好なトラッキングエラー信号を得ることができる。
【００４２】
（本形態の主な効果）
以上説明したように、本形態では、メインビームＭ−Ｂｅａｍについては、光ディスク１０上で結像スポットを形成しているが、サブビームＳ−Ｂｅａｍ（±）についてはデフォーカス状態にある。このため、光ディスク１０に情報を記録する際、光量があるレベル以上あった場合でも、誤ってサブビームＳ−Ｂｅａｍ（±）によって情報が記録されることがない。
【００４３】
また、本形態では、フォーカシングエラー信号を得るためのサブビームＳ−Ｂｅａｍ（±）がデフォーカス状態にあるため、サブビームＳ−Ｂｅａｍ（±）のプッシュプル変調は極めて小さい。それ故、本形態のように、サブビームＳ−Ｂｅａｍ（±）からフォーカシングエラー信号を検出すれば、クロストークの影響が極めて小さい。
【００４４】
さらに本形態では、ＤＰＰ法と同一の演算によりトラッキングエラー信号が生成するが、プッシュプル変調率がメインビームＭ−Ｂｅａｍに比較して小さいため、プッシュプル変調はメインビームＭ−Ｂｅａｍから得られることになる。この場合でも、スポット移動や光ディスク１０のチルトに起因するプッシュプルオフセット成分は、メインビームＭ−ＢｅａｍおよびサブビームＳ−Ｂｅａｍ（±）のいずれにも発生するので、ＤＰＰ法と同様な演算を採用した場合でも、スポット移動に起因するプッシュプルオフセット成分が最小になるような係数Ｋを採用することにより、トラッキングエラーオフセットを除去することができる。それ故、トラッキングエラーオフセットの発生しない良好なトラッキングエラー信号を得ることができる。
【００４５】
しかも、メインビームＭ−Ｂｅａｍに対するサブビームＳ−Ｂｅａｍの（±）比率は、従来のＤＶＤ−Ｒ／ＲＷ用と同様でよいので、メインビームＭ−Ｂｅａｍの光量が低下することがない。
【００４６】
さらに、メインビーム受光部８０について２分割にしておけば本発明を実現できるが、本形態では、４分割にしてあるので、メインビームＭ−Ｂｅａｍの光軸調整が容易である。また、表１を参照して後述するように、ＤＶＤ／ＣＤ系の光ディスクを本発明を適用した光ディスク装置に仕掛けた際、ＣＤについては、従来の非点収差法とＤＰＰ法とを適用することができるなど、種類の異なる光ディスクが仕掛けられた場合には、各光ディスクに対応する検出方法を採用することができる。
【００４７】
（その他の実施の形態）
サブビームＳ−Ｂｅａｍ（±）がメインビームＭ−Ｂｅａｍよりも大きな径のスポットを形成するようにするには、上記形態のように、サブビームＳ−Ｂｅａｍ（±）をデフォーカス状態で記録面上に集光する構成の他、図７（ａ）、（ｂ）に示すように、グレーティング素子により２つのサブビームＳ−Ｂｅａｍ（±）に発生する３次の球面収差を利用してもよい。
【００４８】
上記形態では、１種類の光ディスク用の光ディスク装置１を例に説明したが、複数種類の光ディスク１０が駆動される光ディスク装置１、たとえば、ＤＶＤ／ＣＤ系の光ディスク装置１に本発明を適用してもよい。この場合、ＤＶＤ、ＣＤの双方に本発明を適用してもよいが、ＤＶＤに対して本発明を適用し、ＣＤについては、従来の非点収差法とＤＰＰ法とを適用してもよい。
【００４９】
すなわち、本発明において、メインビーム受光部８０およびサブビーム受光部８１，８２の各々に対して４分割受光面を形成すれば、表１に示すように、種類の異なる光ディスクが本発明を適用した光ディスク装置で記録、再生が行われる場合でも、光ディスクの種類に応じた方法でフォーカシングエラー信号（表１にＦＥとして示す）、トラッキングエラー信号（表１にＴＥとして示す）、データ信号（表１にＲＦとして示す）を得ることができる。なお、表１には、メインビーム受光部８０を「Ｍ」と表わし、サブビーム受光部８１を「Ｓ１」と表わし、サブビーム受光部８２を「Ｓ２」と表わし、信号生成の際に用いられる受光部に○を付し、信号生成の際に用いられない受光部には×を付してある。
【００５０】
【表１】
2006172694.tif 000003
【００５１】
表１から分かるように、ＤＶＤ−ＲＡＭ、ＤＶＤ±Ｒ／ＲＷ、ＤＶＤ−ＲＯＭ、ＣＤ−Ｒ／ＲＷ、ＣＤ−ＲＯＭのいずれについても、本発明に係る方法を適用して２つのサブビーム受光部Ｓ１、Ｓ２を用いてフォーカシングエラー信号を生成することができる他、メインビーム受光部Ｍおよび２つのサブビーム受光部Ｓ１、Ｓ２を用いて、非点収差法や差動非点収差法によりフォーカシングエラー信号を生成することができる。また、トラッキングエラー信号についても、ＤＶＤ−ＲＡＭ、ＤＶＤ±Ｒ／ＲＷ、ＤＶＤ−ＲＯＭに対してはＤＰＰ法またはＤＰＤ法で生成でき、ＣＤ−Ｒ／ＲＷ、ＣＤ−ＲＯＭに対してはＤＰＰ法や３ビーム法で生成することができる。
【図面の簡単な説明】
【００５２】
【図１】（ａ）、（ｂ）は、本発明を適用した光ディスク装置の主要部の構成を模式的に示す説明図、およびこの光ディスク装置で駆動されるＤＶＤ−ＲＡＭ（光ディスク）の記録面の構成を模式的に示す説明図である。
【図２】（ａ）、（ｂ）、（ｃ）、（ｄ）はそれぞれ、図１（ａ）に示す光ディスク装置に用いた回折素子の説明図、図１（ａ）に示す光ディスク装置において各ビームがトラック上に集光した状態を示す説明図、およびサブビームのデフォーカス状態を示す説明図である。
【図３】（ａ）、（ｂ）、（ｃ）、（ｄ）、（ｅ）はそれぞれ、本発明を適用した光ディスク装置において光検出器で受光された戻り光からフォーカシングエラー信号を検出する説明図である。
【図４】（ａ）、（ｂ）は、本発明に係る方法で求めたフォーカシングエラー信号の説明図、および比較例に係る方法で求めたフォーカシングエラー信号の説明図である。
【図５】（ａ）、（ｂ）、（ｃ）はそれぞれ、本発明を適用した光ディスク装置において光検出器で受光された戻り光からトラッキングエラー信号を検出する説明図である。
【図６】（ａ）、（ｂ）、（ｃ）は、本発明に係る方法で求めたトラッキングエラー信号の説明図である。
【図７】（ａ）、（ｂ）は、グレーティング素子により２つのサブビームに発生する３次の球面収差を利用して、サブビームがメインビームよりも大きな径のスポットを形成するように構成したときの説明図である。
【符号の説明】
【００５３】
１  光ディスク装置
２  レーザ光源
３  回折素子
７  対物レンズ
８  光検出器
１０  光ディスク
１１  ランド
１２  グルーブ
Ｍ−Ｂｅａｍ  メインビーム
Ｓ−Ｂｅａｍ（±）  ２つのサブビーム
【図１】
2006172694.tif 000004
【図２】
2006172694.tif 000005
【図３】
2006172694.tif 000006
【図４】
2006172694.tif 000007
【図５】
2006172694.tif 000008
【図６】
2006172694.tif 000009
【図７】
2006172694.tif 000010